(57)【要約】【課題】  学習対象言語での思考継続性を損なうことなく、初学者でも容易に漢字辞書検索条件入力ができ、検索結果の出力順やグループ分けが入力者の意図に沿う装置を提供すること。【解決手段】  構成要素は、コンピュータ・ハードウェアとその上で機能するソフトウェアである。ソフトウェアは、データとして部首情報データ、要素情報データ（原始的な漢字データで部首情報を含む）、漢字辞書データ（部首情報を含む）、プログラムとして検索条件入力機能、漢字辞書データの検索機能、および検索結果出力機能で構成する。検索機能では漢字１文字単位に部首をＯＲ条件で抽出した結果の漢字を、入力漢字文字数分のＡＮＤ条件で保持するものとする。【選択図】図９
2007200263.tif 000002
【特許請求の範囲】
【請求項１】
漢字辞書検索装置であり、構成要素は、コンピュータ・ハードウェアとその上で機能するソフトウェアである。ソフトウェアは、データとして部首情報データ、要素情報データ（原始的な漢字データで部首情報を含む）、漢字辞書データ（部首情報を含む）、プログラムとして検索条件入力機能、漢字辞書データの検索機能、および検索結果出力機能で構成する。検索条件入力機能は漢字１文字以上を入力として受け取る機能である。検索機能は入力された漢字で要素情報データより部首を取得し、その部首の組み合わせ条件で漢字辞書データを検索し、合致した漢字データを保持する機能である。検索結果出力機能は保持された漢字データを出力する機能である。検索機能では漢字１文字単位に部首をＯＲ条件で抽出した結果の漢字を、入力漢字文字数分のＡＮＤ条件で保持するものとする。
【発明の詳細な説明】
【技術分野】
【０００１】  コンピュータによる漢字辞書の検索に関する。
【背景技術】
【０００２】  特開平１０−９７５２８『難読漢字の入力方法』において、部首や部品の読みを入力して複合構成された漢字の出力を行っている。部首や部品の読みを知らない場合の検索に課題がある。【０００３】  特開２００１−２６５７８０（Ｐ２００１−２６５７８０Ａ）『電子装置及び記録媒体』において階層化されたメニュー入力により、漢字を検索している。書籍辞書の検索方法をコンピュータで実現したものである。メニュー項目が静的であり、メニュー階層が多段になる課題がある。
【特許文献１】  特開平１０−９７５２８
【特許文献２】  特開２００１−２６５７８０（Ｐ２００１−２６５７８０Ａ）
【発明の開示】
【発明が解決しようとする課題】
【０００４】  電子的な漢字辞書の検索方法として、従来からの手段に他国語によるもの、読みによるもの、部首と画数によるものがある。しかし、他国語によるものは、学習対象言語での思考継続性に課題がある。また読みによるものは初学者には検索条件入力が困難である。部首と画数によるものは、合致するデータ数が多い場合、所望の情報を取得するのに手間がかかる。学習対象言語での思考継続性を損なうことなく、初学者でも容易に検索条件入力ができ、検索結果の出力順やグループ分けが入力者の意図に沿う装置を提供すること。
【課題を解決するための手段】
【０００５】  構成要素は、コンピュータ・ハードウェアとその上で機能するソフトウェアである。【０００６】  ソフトウェアは、データとして部首情報データ、要素情報データ（原始的な漢字データで部首情報を含む）、漢字辞書データ（部首情報を含む）プログラムとして検索条件入力機能、漢字辞書データの検索機能、および検索結果出力機能で構成する。【０００７】  検索条件入力機能は漢字１文字以上を入力として受け取る機能である。検索機能は入力された漢字で要素情報データより部首を取得し、その部首の組み合わせ条件で漢字辞書データを検索し、合致した漢字データを保持する機能である。検索結果出力機能は保持された漢字データを出力する機能である。【０００８】  要素情報データの部首には画数の多い部首を優先的に登録する。【０００９】  検索機能では漢字１文字単位に部首をＯＲ条件で抽出した結果の漢字を、漢字文字数分ＡＮＤ条件で保持するものとする。【００１０】  出力順序は部首の検索条件への適用順とする。
【発明の効果】
【００１１】  読み、書き順、画数が不明な初学者でも、原始的な漢字を入力（選択）することで知りたい漢字データを得ることができる。語学において、効率的な学習の補助となる。
【発明を実施するための最良の形態】
【００１２】  コンピュータ・ハードウェアをネットワーク上のサーバ装置、クライアント装置で構成する。【００１３】  サーバ装置に部首情報データ、要素情報データ、漢字辞書データ、検索条件受付機能、検索機能、検索結果受渡機能を用意する。クライアント装置に検索条件入力機能、検索指示機能、検索結果受取機能、検索結果出力機能を用意する。【００１４】  部首情報データの項目を識別子、部首、画数、名称とする。ただし、検索は画数２から８までと頁、馬、魚、鳥で行う。【００１５】  要素情報データの項目を識別子、漢字、画数、部首０、部首１、部首２、部首３とする。【００１６】  漢字辞書データの項目を識別子、漢字、画数、部首０、部首１、部首２、部首３、読み（ピンイン）、声調とする。【００１７】  部首０から部首３までは部首情報データの識別子降順で設定する。【００１８】  要素情報データは日本の小学校１、２年生で習う漢字とする。【００１９】  漢字辞書データは日本の小学校、および中学校で習う漢字（常用漢字）とする。繁用される漢字を追加可能とする。【００２０】  要素情報データに含まれない漢字が入力された場合、漢字辞書データを検索し、見つかった場合は、その漢字データを出力する。見つからなかった場合は出力なしとする。このため見つからなかった場合の最終出力はクリアされる。【００２１】  漢字データの検索条件は部首０から部首３へと適用させ、これを出力順とする。
同一部首内では検索結果の漢字を画数が少ないものから出力する。
【産業上の利用可能性】
【００２２】  漢字の初学者に対して、単独装置やネットワーク接続された装置構成により、漢字情報を提示できる。漢字を調べる際、関連性を楽しみながら学習できる。
【図面の簡単な説明】
【００２３】
【図１】  プログラムを動作させる典型的なコンピュータの機能構成
【図２】  ネットワーク上のサーバ装置、クライアント装置の機能構成
【図３】  データ構造図
【図４】  部首情報データ（一部）  部首が数字のものはグリフをビットマップで用意している。数字はその識別子である。
【図５】  要素情報データ（一部）  部首が数字のものはグリフをビットマップで用意している。数字はその識別子である。
【図６】  漢字辞書データ（一部）  部首が数字のものはグリフをビットマップで用意している。数字はその識別子である。
【図７】  フローチャート（検索機能）
【図８】  検索機能実施例（検索前）
【図９】  検索機能実施例（検索後）
【図１０】  データ編集例（部首設定画面）
【符号の説明】
【００２４】  １０プログラム、処理データ保持部、１１演算部、１２入力部、１３出力部、１４データ・プログラム保存部。
２０ネットワーク、２１サーバ装置、２２クライアント装置。
３０データ構造図（部首情報）、３１データ構造図（要素情報）、３２データ構造図（漢字辞書情報）。
４０部首情報データの先頭５０件、４１部首情報データの後尾５０件。
５０要素情報データの先頭５０件。６０漢字辞書データの途中５０件。
７０から８０処理、判定の識別子。
１００部首選択ボタン、１０１要素情報データ、または漢字辞書データの部首設定状態のリスト表示。
【図１】
2007200263.tif 000003
【図２】
2007200263.tif 000004
【図３】
2007200263.tif 000005
【図４】
2007200263.tif 000006
【図５】
2007200263.tif 000007
【図６】
2007200263.tif 000008
【図７】
2007200263.tif 000009
【図８】
2007200263.tif 000010
【図９】
2007200263.tif 000011
【図１０】
2007200263.tif 000012